(57)【特許請求の範囲】
【請求項１】
複数の縦部材と隣接する上記縦部材どうしを適宜連結する連結部材とを備えることにより４つの側面部が形成され、かつ、内部に略直方体形状の収納空間が形成されるカート本体と、
上記側面部を覆う複数のカバーと、
を備えた運搬カートであって、
上記複数のカバーの少なくとも一つは、一の側面部の端部付近の垂直方向の回動軸を中心として開閉回動可能であり、かつ、閉鎖時に上記一の側面部ないしこれと上記回動軸とは反対側に隣接する側面部の全部もしくは一部を覆い、開放時に上記隣接する側面部から上記収納空間の搭載物を取り出すことを可能とする、
ことを特徴とする、運搬カート。
【請求項２】
上記４つの側面部は、左右の側面部と、前部側面部と、後部側面部であり、後部側面部の上方には、カート本体を前後方向に押動するためのハンドルが形成されている一方、
上記カバーは、
上記前部側面部を固定状に覆う前部カバーと、
上記左側面部の上記前部側面部側の端部付近の垂直方向の回動軸を中心として開閉回動可能であり、かつ、閉位置において上記左側面部ないし上記後部側面部の左半分を覆う左開閉カバーと、
上記右側面部の上記前部側面部側の端部付近の垂直方向の回動軸を中心として開閉回動可能であり、かつ、閉位置において上記右側面部ないし上記後部側面部の右半分を覆う右開閉カバーと、
からなっている、請求項１に記載の運搬カート。
【請求項３】
上記カート本体の上記左右の側面部の下部には、上記左開閉カバーおよび上記右開閉カバーの下縁を案内して閉位置に導き保持するためのガイド部材が設けられている、請求項２に記載の運搬カート。
【請求項４】
上記左開閉カバーまたは上記右開閉カバーのうち一方は、その後側部分の表側面の端部中央付近に係止フックを備え、
上記左開閉カバーまたは上記右開閉カバーのうち他方は、その後側部分の表側面の端部中央付近に係止突起を備え、
上記係止フックおよび上記係止突起は、上記左開閉カバーおよび上記右開閉カバーを閉状態に保持する、請求項２または３に記載の運搬カート。
【請求項５】
上記収納空間の上側の面を覆うように開閉可能に設けられた上部開閉カバーをさらに備えている、請求項１ないし４のいずれかに記載の運搬カート。
【請求項６】
略Ｕ字状であり、その開口部が上記カート本体の上記ハンドルに固着されたフック部材をさらに備えている、請求項２ないし５のいずれかに記載の運搬カート。
【請求項７】
上記カート本体の上記左側面部または上記右側面部の下部に設けられた受け皿と、
上記受け皿の上方に設けられた長尺物固定部材と、
をさらに備えている、請求項２ないし６のいずれかに記載の運搬カート。
【発明の詳細な説明】
【技術分野】
【０００１】
本発明は、運搬カート、特に収納物が外部から見えないように側面にカバーが設けられた運搬カートに関する。
【背景技術】
【０００２】
ビルメンテナンスの際、運搬カートに業務用清掃用具等を集中的に搭載し、ビル内を移動しつつ各所の清掃等を行っている。このような目的に使用される運搬カートの従来例を図１０に示す。
【０００３】
同図に示された運搬カートＳ１は、フレーム状のカート本体Ａ１にハンドル１３１と車輪１１８ａ，１１８ｂを備えており、床上を移動可能である。カート本体Ａ１は、ほうき、モップ、ちり取り、雑巾、洗剤、スプレー、バケツ等の各種の清掃用具やトイレットペーパ、消臭剤等の備品、補充品類を集中的に搭載または保持できるように構成されている。ほうきやモップ等の長尺物はカート本体Ａ１の側面に保持される。その他の雑巾、洗剤、スプレー、備品、補充品類等の小物類は、プラスチック製のトレイ１３４やボックス内に収納した状態でカート本体Ａ１に搭載される。
【０００４】
カート本体Ａ１には、上記のトレイ１３４やボックスを都合よく搭載できるように、カート本体Ａ１を構成する左右のフレーム１０１，１０２の適所にたとえば断面Ｌ字状の複数組の横桟部材１１４，１２４が取付けられており、このような左右の横桟部材１１４，１２４に上記のトレイ１３４やボックスの左右底部を載せることができるようになっている。
【０００５】
最近では、搭載された清掃用具などが外部から見えないようにするためにカート本体Ａ１の周囲にカバーを設けた運搬カートの需要が増加している。このような需要に対応した運搬カートとして、図１１に示す運搬カートが開発されている。
【０００６】
同図に示された運搬カートＳ２は、カート本体Ａ２のハンドル１３１側およびその反対側に、カバー１０４，１０８が固着されている。また、カート本体Ａ２の他の２つの側面には、それぞれ扉１０５，１０６が設けられている。この２つの扉１０５，１０６を閉じることで、運搬カートに搭載された清掃用具が外部から見えないようにすることができる。
【０００７】
【特許文献１】特開平１１‐１２９９１１号公報
【発明の開示】
【発明が解決しようとする課題】
【０００８】
しかしながら、上記の運搬カートＳ２には、トレイやボックスに搭載された小物類のうちハンドル１３１側に搭載された搭載物が取り出しにくいという問題がある。ハンドル１３１側にも扉を設けるという方法もあるが、部品数および製造工程における工程数が増加するという問題がある。
【０００９】
また、上記運搬カートＳ２から搭載物を取り出す場合、開ける扉と反対側の側面を壁面に寄せて運搬カートＳ２を停止することになる。たとえば、扉１０６側に搭載されている搭載物を取り出す場合、使用者は、運搬カートＳ２の扉１０５側の側面を壁面に寄せて停止し、扉１０６を開け、運搬カートＳ２の扉１０６側に立って、搭載物を取り出すことになる。このとき、この停止場所が狭い通路の場合、運搬カートＳ２と使用者とで通路を塞ぐことになり通行者の妨げとなることがある。また、広い通路の場合でも、扉１０６を開けることにより、運搬カートＳ２の内部が通行者の目につくことになる。
【００１０】
本発明は上記した事情のもとで考え出されたものであって、ハンドル側に搭載された搭載物を取り出しやすく、搭載物を取り出すときに通行の妨げになりにくく、かつ、内部が通行者の目につきにくく、部品数および製造工程の工程数が増加しない運搬カートを提供することをその目的としている。
【課題を解決するための手段】
【００１１】
上記課題を解決するため、本発明では、次の技術的手段を講じている。
【００１２】
本発明の第１の側面によって提供される運搬カートは、複数の縦部材と隣接する上記縦部材どうしを適宜連結する連結部材とを備えることにより４つの側面部が形成され、かつ、内部に略直方体形状の収納空間が形成されるカート本体と、上記側面部を覆う複数のカバーと、を備えた運搬カートであって、上記複数のカバーの少なくとも一つは、一の側面部の端部付近の垂直方向の回動軸を中心として開閉回動可能であり、かつ、閉鎖時に上記一の側面部ないしこれと上記回動軸とは反対側に隣接する側面部の全部もしくは一部を覆い、開放時に上記隣接する側面部から上記収納空間の搭載物を取り出すことを可能とすることを特徴とする。                                                                                
【００１３】
この構成によると、上記開閉カバーは、閉じた状態で上記一の側面部と上記隣接する側面部の全部もしくは一部を覆うので、上記カート本体の上記一の側面部と上記隣接する側面部から上記収納空間が見えないようにすることができる。また、上記開閉カバーを開くと、上記隣接する側面部から上記収納空間に搭載された搭載物を取り出すことができる。この開閉カバーを上記カート本体に取り付ける作業は、上記一の側面部のみを覆う開閉カバーを取り付ける作業と変わらない。したがって、製造工程における工程数は増加しない。
【００１４】
本発明の好ましい実施の形態においては、上記４つの側面部は、左右の側面部と、前部側面部と、後部側面部であり、後部側面部の上方には、カート本体を前後方向に押動するためのハンドルが形成されている一方、上記カバーは、上記前部側面部を固定状に覆う前部カバーと、上記左側面部の上記前部側面部側の端部付近の垂直方向の回動軸を中心として開閉回動可能であり、かつ、閉位置において上記左側面部ないし上記後部側面部の左半分を覆う左開閉カバーと、上記右側面部の上記前部側面部側の端部付近の垂直方向の回動軸を中心として開閉回動可能であり、かつ、閉位置において上記右側面部ないし上記後部側面部の右半分を覆う右開閉カバーと、からなっている。
【００１５】
この構成によると、上記前部カバーと上記左開閉カバーと上記右開閉カバーとにより、側面部から上記収納空間が見えないようにすることができる。また、上記左開閉カバーまたは上記右開閉カバーを開くと、上記後部側面部から上記収納空間に搭載された搭載物を取り出すことができる。この各開閉カバーを上記カート本体に取り付ける作業は、上記後部側面部を覆わない開閉カバーを取り付ける作業と変わらない。したがって、製造工程における工程数は増加しない。さらに、上記左開閉カバーまたは上記右開閉カバーを少し開くだけで、使用者は上記運搬カートの上記後部側面部から上記搭載物を取り出すことができる。したがって、上記運搬カートは、停止場所が狭い通路の場合でも通行者の妨げとなりにくく、上記収納空間に搭載された上記搭載物が上記通行者の目につくことを抑制することができる。
【００１６】
本発明の好ましい実施の形態においては、上記カート本体の上記左右の側面部の下部には、上記左開閉カバーおよび上記右開閉カバーの下縁を案内して閉位置に導き保持するためのガイド部材が設けられている。
【００１７】
この構成によると、上記各開閉カバーは閉位置に導かれて保持されるので、上記各開閉カバーが勝手に開いてしまうことを防ぐことができる。
【００１８】
本発明の好ましい実施の形態においては、上記左開閉カバーまたは上記右開閉カバーのうち一方は、その後側部分の表側面の端部中央付近に係止フックを備え、上記左開閉カバーまたは上記右開閉カバーのうち他方は、その後側部分の表側面の端部中央付近に係止突起を備え、上記係止フックおよび上記係止突起は、上記左開閉カバーおよび上記右開閉カバーを閉状態に保持する。
【００１９】
この構成によると、上記各開閉カバーは閉状態に保持されるので、上記各開閉カバーが勝手に開いてしまうことを防ぐことができる。
【００２０】
本発明の好ましい実施の形態においては、上記収納空間の上側の面を覆うように開閉可能に設けられた上部開閉カバーをさらに備えている。
【００２１】
この構成によると、上記上部開閉カバーにより、上部から上記収納空間が見えないようにすることができる。したがって、上記収納空間に搭載された上記搭載物が外部から見えないようにすることができる。また、上記上部開閉カバーを開くと、上部から上記収納空間に搭載された搭載物を取り出すことができる。
【００２２】
本発明の好ましい実施の形態においては、略Ｕ字状であり、その開口部が上記カート本体の上記ハンドルに固着されたフック部材をさらに備えている。
【００２３】
この構成によると、柄の持ち手部分が略Ｌ字状の長尺物や柄付きちり取りなどを、上記フック部材と上記ハンドルとで構成される環状部分に上記持ち手部分の先端を挿入して、上記持ち手部分を上記フック部材の上部内側と上記ハンドルの上部とに当接させることにより保持することができる。また、持ち手部分を含む柄の先端部分が環状となっている長尺物や柄付きちり取りなどを、柄の先端の環状部分を上記フック部材に掛止して、吊り下げることにより保持することができる。したがって、上記収納空間に搭載できない上記長尺物を、上記運搬カートに搭載することができる。
【００２４】
本発明の好ましい実施の形態においては、上記カート本体の上記左側面部または上記右側面部の下部に設けられた受け皿と、上記受け皿の上方に設けられた長尺物固定部材と、をさらに備えている。
【００２５】
この構成によると、長尺物の本体部分を上記受け皿に載せ、上記長尺物の柄などを上記長尺物固定部材で固定して、上記長尺物を保持することができる。したがって、上記収納空間に搭載できない上記長尺物を、上記運搬カートに搭載することができる。
【００２６】
本発明のその他の特徴および利点は、添付図面を参照して以下に行う詳細な説明によって、より明らかとなろう。
【発明を実施するための最良の形態】
【００２７】
以下、本発明の好ましい実施の形態を、図面を参照して具体的に説明する。
【００２８】
図１は、本発明に係る運搬カートの一例を示す斜視図である。図２は、図１のII-II断面図である。図３は、図２のIII-III断面図であり、図４は、図２のIV-IV断面図である。図５は、本発明に係る運搬カートのカート本体の一例を示す斜視図である。すなわち、図１に示す運搬カートから各開閉カバーをはずした状態を示している。図２〜５においては、小物類を搭載するためのトレイやボックスを省略している。
【００２９】
運搬カートＳは、カート本体Ａ、前部カバー４、左開閉カバー５、右開閉カバー６、上部開閉カバー７により構成されている。図５によく表れているように、カート本体Ａの上部一端部には、運搬カートＳの使用者が両手で持って運搬カートＳを前後方向に押動するためのハンドル３１が設けられている。使用者は、ハンドル３１の手前に立って運搬カートＳを操作することになる。このため、本実施形態では、説明の便宜上、運搬カートＳの各部の左右方向は上記使用者からみた左右方向とする。また、運搬カートＳの各部のうち、進行方向である上記使用者から遠い側を前側として説明する一方、使用者から近い側を後側として説明する。
【００３０】
図５によく表れているように、カート本体Ａは、左フレーム１、右フレーム２、ハンドル３１、連結部材３２，３３を具備している。左フレーム１および右のフレーム２は、左右対称な構造に形成されており、いずれも側面視略Ｕ字状に形成されている。より具体的には、左フレーム１は、一定間隔を隔てて位置して鉛直方向に延びる前側縦部材１１および後側縦部材１２と、前側縦部材１１および後側縦部材１２の上端部を互いに繋ぐ横桟部材１３を具備している。
【００３１】
これらの部材は、いずれも金属製パイプによって構成されており、フレーム全体の軽量化が図られている。本実施形態では、前側縦部材１１と横桟部材１３とが、１本の金属製パイプを屈曲することによって一体的に形成されているが、本発明はこれに限定されず、前側縦部材１１と横桟部材１３とを別体の部材で形成した上で、溶接あるいはボルト止めなどの手段によって互いに連結してもよい。横桟部材１３の後端部は、後側縦部材１２の上端部との連結部分よりも後側に延設されている。
【００３２】
右フレーム２も、左フレーム１と同様に、前側縦部材２１、後側縦部材２２、および横桟部材２３を具備している。詳細は、左フレーム１と同様なので省略する。
【００３３】
左フレーム１の前側縦部材１１と後側縦部材１２との間には断面Ｌ字状の横桟部材１４が、右フレーム２の前側縦部材２１と後側縦部材２２との間には断面Ｌ字状の横桟部材２４が、それぞれ取り付けられている。両横桟部材１４，２４は、小物類を収納したトレイやボックスの左右底部を載せるための台となる。
【００３４】
左フレーム１の前側縦部材１１と後側縦部材１２との間の下方には受け皿１５が、右フレーム２の前側縦部材２１と後側縦部材２２との間の下方には受け皿２５が、それぞれ取り付けられている。両受け皿１５，２５は、ほうきやモップ等の長尺物をカート本体Ａの側面に保持したときに受け皿となるものである。
【００３５】
左フレーム１の前側縦部材１１の左側の２箇所の所定の位置には前部カバー取付具１６ａが、右フレーム２の右側縦部材２１の外側の２箇所の所定の位置には前部カバー取付具２６ａが、それぞれ固着されている。各前部カバー取付具１６ａ，２６ａは、後述する前部カバー４を取り付けるためのものである。
【００３６】
左フレーム１の前側縦部材１１の後側の２箇所の所定の位置には左開閉カバー取付具１６ｂが、右フレーム２の前側縦部材２１の後側の２箇所の所定の位置には右開閉カバー取付具２６ｂが、それぞれ固着されている。左開閉カバー取付具１６ｂは後述する左開閉カバー５を開閉回動可能に取り付けるためのものであり、右開閉カバー取付具２６ｂは後述する右開閉カバー６を開閉回動可能に取り付けるためのものである。本実施形態では、左開閉カバー取付具１６ｂおよび右開閉カバー取付具２６ｂは、蝶番としている。各取付具１６ａ，１６ｂ，２６ａ，２６ｂの固着位置は、上記に限定されず、適宜設計変更可能である。
【００３７】
左フレーム１と右フレーム２とは、ハンドル３１、連結部材３２，３３により連結されている。ハンドル３１は、左フレーム１の延設された後端部と右フレーム２の延設された後端部との間に、これを掛け渡すようにして固着されている。ハンドル３１は、先述したように、使用者が運搬カートＳを移動させるときにその手前に立って両手で持って、運搬カートＳを操作するためのものである。
【００３８】
連結部材３２は、左フレーム１の前側縦部材１１の下方部と右フレーム２の前側縦部材２１の下方部とに固着されている。連結部材３３は、左フレーム１の後側縦部材１２の下方部と右フレーム２の後側縦部材２２の下方部とに固着されている。連結部材３２，３３は、断面Ｌ字状の金属製であり、各縦部材に溶接により固着されている。連結部材３２，３３は、左フレーム１と右フレーム２とを連結してカート本体Ａを形成すると同時に、小物類を収納したトレイやボックスの前後底部を載せるための台となる。
【００３９】
左フレーム１と右フレーム２との間の空間が、小物類を収納したトレイやボックスを搭載するための収納空間となる。
【００４０】
なお、本実施形態では、カート本体Ａを、左フレーム１と右フレーム２とを連結部材３２，３３で連結する構成としたが、これに限られず、複数の縦部材を連結部材で連結することにより収納空間が形成されればよい。例えば、左フレーム１の後側縦部材１２と右フレーム２の後側縦部材２２とハンドル３１とが１本の金属製パイプを屈曲することによって一体的に形成されていてもよい。その場合は、左フレーム１の前側縦部材１１と右フレーム２の前側縦部材２１とを１本の金属製パイプを屈曲することによって一体的に形成し、前側縦部材１１，２１と後側縦部材１２，２２とをそれぞれ連結部材で連結するようにすればよい。
【００４１】
左フレーム１の前側縦部材１１および後側縦部材１２の下端部にはそれぞれ車輪１８ａ，１８ｂが、右フレーム１の前側縦部材２１および後側縦部材２２の下端部にはそれぞれ車輪２８ａ，２８ｂが、設けられている。前側の各車輪１８ａ，２８ａは車輪の向きが任意に変更できるように水平方向に回転可能なものであり、後側の各車輪１８ｂ，２８ｂは車輪の向きが固定されたものである。したがって、この運搬カートＳは、４つの車輪１８ａ，１８ｂ，２８ａ，２８ｂを利用して床面上を楽に移動させることができ、またその移動時には容易にその進行方向を変更することができる。
【００４２】
図２および図４に示すように、前部カバー４は、カート本体Ａの前側に、運搬カートＳの内部を外部から見えないように隠すために設けられている。前部カバー４は、カート本体Ａの収納空間の前面を覆う大きさの略矩形形状の板であり、高衝撃性ポリスチレンなどの樹脂により形成される。前部カバー４は、その内側面（図２における下側の面であり、図４における右側の面）上部の左右２箇所および下部の左右２箇所で、左フレーム１に設けられた２つの前部カバー取付具１６ａおよび右フレーム２に設けられた２つの前部カバー取付具２６ａにボルト止めするなどして、固着されている。
【００４３】
なお、前部カバー４の材質、形状、および取り付け方法は、上記に限られない。材質は、ある程度の強度を有するものであれば、他の樹脂であってもよいし、アルミや鉄などの金属であってもよい。形状は、運搬カートＳの内部が外部から見えなければ、左開閉カバー５、右開閉カバー６および上部開閉カバー７の開閉の妨げとならない範囲で自由に設計可能である。取り付け方法は、前部カバー４をカート本体Ａに固定可能であればよく、着脱可能な取り付け方法でもよい。また、前部カバー４の左右の一方にカート本体Ａとの間で蝶番構造などを設けて、カバー４を開閉カバーとして開閉回動可能に取り付けてもよい。
【００４４】
図１、図２および図３に示すように、左開閉カバー５は、カート本体Ａの左側に、運搬カートＳの内部を外部から見えないように隠すために設けられている。左開閉カバー５は、高衝撃性ポリスチレンなどの樹脂により形成されており、閉じられた状態でカート本体Ａの収納空間の左側面および後面の左半分を覆う。左開閉カバー５の内側面（図２および図３において、右側の面）の前側部分には、取付部５１が設けられている。取付部５１は、２つの左開閉カバー取付具１６ｂを固着するためのものである。左開閉カバー５に左開閉カバー取付具１６ｂを直接固着すると、左開閉カバー５の自重により当該固着部分が破損する可能性がある。これを防ぐために、金属などの強度の大きい取付部５１を左開閉カバー５にボルト止めなどで固着し、この取付部５１に左開閉カバー取付具１６ｂを溶接やボルト止めにより固着している。左フレーム１に設けられた２つの左開閉カバー取付具１６ｂは蝶番なので、左開閉カバー５は、水平方向に開閉回動可能となっている。
【００４５】
左開閉カバー５の収納空間の左側面を覆う部分は、外側に膨らんだ形状となっている。これは、左開閉カバー５を閉じたときに、左開閉カバー５の内側面とカート本体Ａの左側面に保持されている長尺物とが接触しないようにするためである。左開閉カバー５の上端部には、２つの切り欠き部５２が設けられている。この切り欠き部５２は、左開閉カバー５を閉じたときに、左開閉カバー５の上端部がカート本体Ａの左側面に保持されている長尺物の柄と接触しないようにするためのものである。
【００４６】
なお、左開閉カバー５の材質、形状、および取り付け方法は、上記に限られない。材質は、ある程度の強度を有するものであれば、他の樹脂であってもよいし、アルミや鉄などの金属であってもよい。形状は、運搬カートＳの内部が外部から見えなければ、上部開閉カバー７および左開閉カバー５自身の開閉の妨げとならない範囲で自由に設計可能である。取り付け方法も適宜設計変更可能である。例えば、左開閉カバー５が金属製などであり十分な強度を有する場合は、取付部５１を設けずに、左開閉カバー５に左開閉カバー取付具１６ｂを直接固着するようにしてもよい。また、左開閉カバー５がカート本体Ａに対して開閉可能であればよく、蝶番以外の構造でもよい。
【００４７】
図１、図２および図３に示すように、右開閉カバー６は、カート本体Ａの右側に、運搬カートＳの内部を外部から見えないように隠すために設けられている。右開閉カバー６は、高衝撃性ポリスチレンなどの樹脂により形成されており、閉じられた状態でカート本体Ａの収納空間の右側面および後面の右半分を覆う。右開閉カバー６の内側面（図２および図３において、左側の面）の前側部分には、取付部６１が設けられている。取付部６１は、取付部５１と同様、２つの右開閉カバー取付具２６ｂを固着するためのものである。右フレーム２に設けられた２つの右開閉カバー取付具２６ｂは蝶番なので、右開閉カバー６は、水平方向に開閉回動可能となっている。
【００４８】
右開閉カバー６の収納空間の右側面を覆う部分は、外側に膨らんだ形状となっている。これは、右開閉カバー６を閉じたときに、右開閉カバー６の内側面とカート本体Ａの右側面に保持されている長尺物とが接触しないようにするためである。右開閉カバー６の上端部には、２つの切り欠き部が設けられている。この切り欠き部は、右開閉カバー６を閉じたときに、右開閉カバー６の上端部がカート本体Ａの右側面に保持されている長尺物の柄と接触しないようにするためのものである。なお、右開閉カバー６の材質、形状、および取り付け方法は上記に限られず、上述した左開閉カバー５と同様に、設計変更可能である。
【００４９】
図１に示すように、左開閉カバー５の後側部分の表側面の端部中央付近には、係止突起５３が設けられており、右開閉カバー６の後側部分の表側面の端部中央付近には、係止フック６３が当該表側面と平行に回転可能に設けられている。本実施形態においては、運搬カートＳを移動させる場合、係止フック６３を係止突起５３に係止することで、左開閉カバー５および右開閉カバー６を閉じた状態に保つ。なお、左開閉カバー５および右開閉カバー６を閉じた状態に保つ方法はこれに限られず、他の方法を用いてもよい。
【００５０】
図１、図３および図４に示すように、上部開閉カバー７は、カート本体Ａの上側に、運搬カートＳの内部を外部から見えないように隠すために設けられている。上部開閉カバー７は、カート本体Ａの収納空間の上面を覆う大きさの箱形状であり、肉厚を薄くし軽くすることや強度などを考慮し、ポリ塩化ビニルなどの樹脂により形成される。図４に示すように、上部開閉カバー７は、その前側端部において、前部カバー４の上端部に、蝶番７２を用いて取り付けられている。したがって、上部開閉カバー７は、カート本体Ａに対して開閉回動可能となっている。上部開閉カバー７の後端部には、２つの切り欠き部７１が設けられている。この切り欠き部７１は、上部開閉カバー７を閉じたときに、上部開閉カバー７の後端部が左フレーム１の横桟部材１３および右フレーム２の横桟部材２３に接触しないようにするためのものである。
【００５１】
なお、上部開閉カバー７の材質、形状、および取り付け方法は、上記に限られない。材質は、ある程度の強度を有するものであれば、他の樹脂であってもよいし、アルミや鉄などの金属であってもよい。形状は、運搬カートＳの内部が外部から見えなければ、左開閉カバー５、右開閉カバー６および上部開閉カバー７自身の開閉の妨げとならない範囲で自由に設計可能である。取り付け方法は、蝶番以外の構造で上部開閉カバー７がカート本体Ａに対して開閉回動可能としてもよい。また、上部開閉カバー７をカート本体Ａに取り付けず、上部開閉カバー７をカート本体Ａの上側に嵌合する構造としてもよい。
【００５２】
図５に示すように、左フレーム１に取り付けられている受け皿１５の右側面の前端付近にはガイド部材１７が、右フレーム２に取り付けられている受け皿２５の左側面の前端付近にはガイド部材２７が、それぞれ固着されている。各ガイド部材１７，２７は、それぞれ、各開閉カバー５，６を、閉じている状態である所定の位置に導き保持するためのものである。代表してガイド部材２７について、図６を参照して説明する。ガイド部材１７もガイド部材２７と同様であるので、説明は省略する。
【００５３】
図６は、図４のVI-VI断面図であり、右フレーム２側のガイド部材２７を説明するための図である。同図に示すように、ガイド部材２７は、断面略Ｌ字状の金属製の板である。その下側部分は、屈曲部２７ａから中央部２７ｂに向けて上方に盛り上がり、中央部２７ｂで最も上方に達した後下方へと転じ、端部２７ｃが最も下に位置する形状を成す。ガイド部材２７の下側部分の端部２７ｃは、右開閉カバー６がその自重により下に沈んだ状態の下端より下に位置する。右開閉カバー６を閉じるとき、その下端部分はガイド部材２７の下側部分の端部２７ｃから当該下側部分の上面に添って上昇する。同図に仮想線で示した右開閉カバー６’は、その下端部分がガイド部材２７の下側部分の端部２７ｃから少し中央部２７ｂに向けて進んだ状態である。さらに右開閉カバー６を閉じると、その下端部分はガイド部材２７の下側部分の中央部２７ｂを超えて屈曲部２７ａに導かれる。
【００５４】
同図に示す右開閉カバー６は、閉じている状態である。右開閉カバー６を閉じている状態から開く場合、右開閉カバー６の下端部分がガイド部材２７の下側部分の中央部２７ｂを超えるまで、開く方向に力を加える必要がある。したがって、ガイド部材２７は、右開閉カバー６を閉じている状態に保持し、勝手に開いてしまうことを防ぐことができる。なお、ガイド部材１７，２７の材質、形状、固着場所は、上記に限定されない。
【００５５】
図１に示すように、ハンドル３１の中央部には、フック部材３１ａが設けられている。フック部材３１ａは、金属棒を略Ｕ字状に変形したものであり、ハンドル３１の所定の位置に溶接などで固着されている。
【００５６】
図７は、フック部材３１ａで柄付きちり取りを保持する方法を説明するための図である。柄付きちり取りをカート本体Ａの側面に保持した場合、ちり取り部分の厚みのため、左開閉カバー５または右開閉カバー６を閉じるとことができなくなる。したがって、ハンドル３１に設けられたフック部材３１ａを用いて、柄付きちり取りを保持する。
【００５７】
同図（ａ）は、柄の持ち手部分が略Ｌ字状の柄付きちり取りＢ１をフック部材３１ａで保持している状態を示す。柄付きちり取りＢ１は、フック部材３１ａとハンドル３１とで構成される環状部分に持ち手部分の先端が挿入され、持ち手部分がフック部材３１ａの上部内側とハンドル３１の上部とに当接することにより保持されている。同図（ｂ）は、持ち手部分を含む柄の先端部分が環状となっている柄付きちり取りＢ２をフック部材３１ａで保持している状態を示す。柄付きちり取りＢ２は、柄の先端の環状部分がフック部材３１ａに掛止され、吊り下げられることにより保持されている。
【００５８】
図５に示すように、左フレーム１の後側縦部材１２の左側の、横桟部材１４と受け皿１５との間の所定の位置には、長尺物固定部材１９が固着されている。長尺物固定部材１９は、金属棒をＶ字状に変形し当該Ｖ字状の金属棒が成す面に対して略直角となるようにその両端部を同じ方向に折り曲げたものであり、後側縦部材１２の所定の位置に溶接などで固着されている。
【００５９】
図８は、長尺物固定部材１９で長尺物を固定する方法を説明するための図である。モップＣなどの長尺物をカート本体Ａに保持させる場合、柄をモップ本体と略平行となるように折り曲げ、この折り曲げられたモップＣの先端を左フレーム１に設けられている受け皿１５に載せ、モップ本体および柄を長尺物固定部材１９と横桟部材１４との間に挟むように固定する。
【００６０】
なお、長尺物固定部材１９の形状および固着位置は上記に限定されない。形状はＵ字状でもよいし、金属板を適宜加工したものでもよい。固着場所は、前側縦部材１１でもよいし、右フレーム２の前側縦部材２１あるいは後側縦部材２２でもよい。
【００６１】
図５に示すように、右フレーム２の前側縦部材２１と後側縦部材２２との間の上方には長尺物固定部材２９が取り付けられている。
【００６２】
図９は、長尺物固定部材２９で長尺物を固定する方法を説明するための図である。長尺物固定部材２９は、同図に示すように、それぞれ固定ゴム２９ｃが取り付けられた２つの固定部２９ｂと、この２つの固定部２９ｂが取り付けられた横桟部材２９ａから成る。固定部２９ｂは上面視Ｕ字状であり、その内側部分は通常のほうき等の柄の直径より大きく成形されている。固定ゴム２９ｃは、両端部が固定部２９ｂの両端部に固着され、その内側面（図９において、手前側の面）には複数の凸状部分が上下方向に形成されている。ほうきＤなどの長尺物をカート本体Ａに保持させる場合、ほうきＤの本体部分を右フレーム２に設けられている受け皿２５に載せ、ほうきＤの柄を固定ゴム２９ｃに押し当てて、固定部２９ｂに挟んで固定する。ほうきＤの柄は、固定ゴム２９ｃに設けられている上下方向の凸状部分により固定される。
【００６３】
なお、長尺物固定部材２９の取り付け位置は上記に限定されない。取り付け場所は、左フレーム１の前側縦部材１１と後側縦部材１２との間でもよい。また、上記とは異なる固定方法で長尺物を保持するようにしてもよい。
【００６４】
次に、本実施形態の運搬カートＳの作用について説明する。
【００６５】
本実施形態において、運搬カートＳには、図２に示すように、左開閉カバー５および右開閉カバー６が、それぞれ前側縦部材１１、２１付近の垂直方向の回動軸を中心として水平方向に開閉回動可能に設けられている。また、図４に示すように、上部開閉カバー７が、カート本体Ａに対して開閉回動可能に設けられている。左開閉カバー５は、閉じている（図２における実線）状態のとき、カート本体Ａの収納空間の左側面および後面の左半分を覆う。右開閉カバー６は、閉じている（図２における実線）状態のとき、カート本体Ａの収納空間の右側面および後面の右半分を覆う。上部開閉カバー７は、閉じている（図４における実線）状態のとき、カート本体Ａの収納空間の上面を覆う。したがって、運搬カートＳは、前部カバー４、左開閉カバー５、右開閉カバー６、および上部開閉カバー７により、カート本体Ａに搭載された清掃用具などが外部から見えないようになっている。
【００６６】
また、図２の仮想線に示すように、運搬カートＳは、左開閉カバー５または右開閉カバー６を開くことによりカート本体Ａの収納空間の後面が開放されるので、収納空間の後側に搭載された小物類を取り出しやすくなっている。各開閉カバー５，６をカート本体Ａに取り付ける作業は、各側面のみを覆って後面を覆わない開閉カバーを取り付ける作業と変わらない。したがって、製造工程における工程数は増加しない。
【００６７】
さらに、左開閉カバー５または右開閉カバー６を少し開くだけで、使用者は運搬カートＳの後側から搭載物を取り出すことができる。したがって、運搬カートＳは、停止場所が狭い通路の場合でも通行者の妨げとなりにくく、カート本体Ａに搭載された清掃用具などが通行者の目につくことを抑制することができる。
【００６８】
また、ガイド部材１７，２７により、各開閉カバー５，６は、閉じている状態の位置に導かれ保持される。したがって、各開閉カバー５，６が勝手に開いてしまうことを防ぐことができる。
【００６９】
また、図４の仮想線に示すように、運搬カートＳは、上部開閉カバー７を開くことによりカート本体Ａの収納空間の上面が開放されるので、収納空間の上側に搭載された小物類を取り出しやすくなっている。
【００７０】
また、フック部材３１ａおよび長尺物固定部材１９，２９により、収納空間に搭載することができない長尺物や柄付きちり取りなどを運搬カートＳに搭載することができる。
【００７１】
なお、上記実施形態では、左開閉カバー５および右開閉カバー６の両方を設けた場合について説明したが、どちらか一方のみであってもよい。例えば、左開閉カバー５のみを設けて、カート本体Ａの右側には固定されたカバーを設けた場合、左開閉カバー５をカート本体Ａの収納空間の左側面および後面の全体を覆うようにすればよい。この場合でも、上記実施形態と同様の効果を奏することができる。また、左開閉カバー５をカート本体Ａの収納空間の左側面および後面の全体を覆うようにして、右開閉カバー６をカート本体Ａの収納空間の右側面のみ覆うようにしてもよい。当然、左右逆の場合でもよい。
【００７２】
なお、上記実施形態では、左開閉カバー５および右開閉カバー６でカート本体Ａの収納空間の後面を覆う場合について説明したが、左開閉カバー５および右開閉カバー６でカート本体Ａの収納空間の前面を覆うようにしてもよい。この場合、使用者は運搬カートＳの前側から搭載物を取り出すことになる。また、例えば、右側面を固定のカバーとし、前面と左側面の前半分を覆う前開閉カバーと後面と左側面の後ろ半分を覆う後開閉カバーとを設けてもよい。この場合、使用者は運搬カートＳの左側から搭載物を取り出すことになる。
【００７３】
本発明に係る運搬カートは、上述した実施形態に限定されるものではない。本発明に係る運搬カートの各部の具体的な構成は、種々に設計変更自在である。
【図面の簡単な説明】
【００７４】
【図１】本発明に係る運搬カートの一例を示す斜視図である。
【図２】図１のII-II断面図である。
【図３】図２のIII-III断面図である。
【図４】図２のIV-IV断面図である。
【図５】本発明に係る運搬カートの一例の各開閉カバーをはずした状態を示す斜視図である。
【図６】図４のVI-VI断面図である。
【図７】フック部材で柄付きちり取りを保持する方法を説明するための図である。
【図８】長尺物固定部材で長尺物を固定する方法を説明するための図である。
【図９】長尺物固定部材で長尺物を固定する方法を説明するための図である。
【図１０】従来の運搬カートの一例を示す斜視図である。
【図１１】従来の運搬カートの一例を示す斜視図である。
【符号の説明】
【００７５】
Ｓ  運搬カート
Ａ  カート本体
１  左フレーム
１１  前側縦部材
１２  後側縦部材
１３，１４  横桟部材
１５  受け皿
１６ａ  前部カバー取付具
１６ｂ  左開閉カバー取付具
１７  ガイド部材
１８ａ，１８ｂ  車輪
１９  長尺物固定部材
２  右フレーム
２１  前側縦部材
２２  後側縦部材
２３，２４  横桟部材
２５  受け皿
２６ａ  前部カバー取付具
２６ｂ  右開閉カバー取付具
２７  ガイド部材
２８ａ，２８ｂ  車輪
２９  長尺物固定部材
３１  ハンドル
３１ａ  フック部材
３２，３３  連結部材
４  前部カバー
５  左開閉カバー
５１  取付部
５２  切り欠き部
５３  係止突起
６  右開閉カバー
６１  取付部
６３  係止フック
７  上部開閉カバー
７１  切り欠き部
７２  蝶番                                                                           
【図１】
0005087370.tif 000002
【図２】
0005087370.tif 000003
【図３】
0005087370.tif 000004
【図４】
0005087370.tif 000005
【図５】
0005087370.tif 000006
【図６】
0005087370.tif 000007
【図７】
0005087370.tif 000008
【図８】
0005087370.tif 000009
【図９】
0005087370.tif 000010
【図１０】
0005087370.tif 000011
【図１１】
0005087370.tif 000012